(57)【要約】無線通信システムにおいて、第二信号がない場合に第二チャネルの信号品質指標を予測することによって電波リンク品質状態を判別する方法。予測信号品質指標は、第一チャネル上の受信参照信号および第二チャネルの測定された干渉レベルから決定されうる。
2008537852.tif 000002
【特許請求の範囲】
【請求項１】
無線通信システムにおいて電波リンク品質状態を判別する方法であって：
第一チャネルの受信信号強度を測定し；
第二チャネルの受信干渉レベルを判別し；
第一チャネルの受信信号強度および第二チャネルの受信干渉レベルを含む複数のパラメータを使って第二チャネルの品質指標を予測し；
予測された品質指標に基づいて電波リンク品質状態を同定することを含む方法。
【請求項２】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１記載の方法。
【請求項３】
前記複数のパラメータがさらに、ある差の値Dを含む、請求項１または２記載の方法。
【請求項４】
第二チャネルの品質指標を予測することが：
第一チャネルの受信信号強度と；
第二チャネルの受信干渉レベルに負号を付けたものと；
差の値Dと、
を組み合わせることを含む、請求項３記載の方法。
【請求項５】
Dが、第一チャネル上で送信される第一信号の送信電力レベルに対する、第二チャネル上で送信される第二信号の送信電力レベルにおける最小減衰を同定する、請求項３または４記載の方法。
【請求項６】
Dが、第一チャネル上で送信される第一信号の送信電力レベルに対する、第二チャネル上で送信される第二信号の送信電力レベルにおける減衰である、請求項３または４記載の方法。
【請求項７】
前記複数のパラメータがさらに：
第一チャネル上で送信される第一信号の送信電力レベルと；
第二チャネル上で送信される第二信号の送信電力レベルと、
を含む、請求項１ないし６のうちいずれか一項記載の方法。
【請求項８】
前記複数のパラメータの少なくとも一つは：
（ｉ）ネットワークから移動端末に無線で信号伝達されるか；
（ｉｉ）ネットワークから複数の移動端末に無線でブロードキャストされるか；
（ｉｉｉ）定数値である、
請求項１ないし７のうちいずれか一項記載の方法。
【請求項９】
電波リンク品質状態を同定することが、予測品質指標の複数の決定からある統計量を計算することを含む、請求項１ないし８のうちいずれか一項記載の方法。
【請求項１０】
電波リンク品質状態を同定することがさらに：
前記統計量をある閾値と比較し；
該比較に基づいて電波リンク品質状態を設定する
ことを含む、請求項９記載の方法。
【請求項１１】
第一チャネルが、ある期間にわたって一定の送信電力レベルを有するチャネルである、請求項１ないし１０のうちいずれか一項記載の方法。
【請求項１２】
第一チャネルがある第一の時間スロット期間内に送信され、第二チャネルは前記第一時間スロット期間とは異なるある第二の時間スロット期間内に送信される、請求項１ないし１１のうちいずれか一項記載の方法。
【請求項１３】
第一チャネルは第一のコードを用いて送信され、第二チャネルは前記第一のコードとは異なる第二のコードを用いて送信される、請求項１ないし１２のうちいずれか一項記載の方法。
【請求項１４】
第一チャネルがビーコン・チャネルを含む、請求項１ないし１３のうちいずれか一項記載の方法。
【請求項１５】
第二チャネルが制御チャネルを含む、請求項１ないし１４のうちいずれか一項記載の方法。
【請求項１６】
第二チャネルがチャネル割り当てメッセージを通信する、請求項１ないし１５のうちいずれか一項記載の方法。
【請求項１７】
前記複数のパラメータのうち少なくとも一つが、
（ｉ）一連の値；または
（ｉｉ）前記一連の値の平均化処理
のうちの少なくとも一方から形成される、請求項１ないし１６のうちいずれか一項記載の方法。
【請求項１８】
無線通信システムにおいて電波リンク品質状態を判別できる移動端末であって：
第一チャネルの受信信号強度を測定するための論理と；
第二チャネルの受信干渉レベルを判別するための論理と；
第一チャネルの受信信号強度および第二チャネルの受信干渉レベルを含む複数のパラメータを使って第二チャネルの品質指標を予測するための論理と；
予測された品質指標に基づいて電波リンク品質状態を同定するための論理と、
を有する移動端末。
【請求項１９】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１８記載の移動端末。
【請求項２０】
前記複数のパラメータがさらに、ある差の値Dを含む、請求項１８または１９記載の移動端末。
【請求項２１】
第二チャネルの品質指標を予測するための前記論理が：
第一チャネルの受信信号強度と；
第二チャネルの受信干渉レベルに負号を付けたものと；
差の値Dと、
を組み合わせることを含む、請求項２０記載の移動端末。
【請求項２２】
Dが、第一チャネル上で送信される第一信号の送信電力レベルに対する、第二チャネル上で送信される第二信号の送信電力レベルにおける最小減衰を同定する、請求項２０または２１記載の移動端末。
【請求項２３】
Dが、第一チャネル上で送信される第一信号の送信電力レベルに対する、第二チャネル上で送信される第二信号の送信電力レベルにおける減衰である、請求項２０または２１記載の移動端末。
【請求項２４】
前記複数のパラメータがさらに：
第一チャネル上で送信される第一信号の送信電力レベルと；
第二チャネル上で送信される第二信号の送信電力レベルと、
を含む、請求項１８ないし２３のうちいずれか一項記載の移動端末。
【請求項２５】
前記複数のパラメータの少なくとも一つは：
（ｉ）ネットワークから移動端末に無線で信号伝達されるか；
（ｉｉ）ネットワークから複数の移動端末に無線でブロードキャストされるか；
（ｉｉｉ）定数値である、
請求項１８ないし２４のうちいずれか一項記載の移動端末。
【請求項２６】
電波リンク品質状態を同定するための前記論理が、予測品質指標の複数の決定からある統計量を計算するための論理を含む、請求項１８ないし２５のうちいずれか一項記載の移動端末。
【請求項２７】
電波リンク品質状態を同定する前記論理がさらに：
前記統計量をある閾値と比較するための論理と；
該比較に基づいて電波リンク品質状態を設定するための論理と、
を含む、請求項２６記載の移動端末。
【請求項２８】
第一チャネルが、ある期間にわたって一定の送信電力レベルを有するチャネルである、請求項１８ないし２７のうちいずれか一項記載の移動端末。
【請求項２９】
第一チャネルがある第一の時間スロット期間内に送信され、第二チャネルは前記第一時間スロット期間とは異なるある第二の時間スロット期間内に送信される、請求項１８ないし２８のうちいずれか一項記載の移動端末。
【請求項３０】
第一チャネルは第一のコードを用いて送信され、第二チャネルは前記第一のコードとは異なる第二のコードを用いて送信される、請求項１８ないし２９のうちいずれか一項記載の移動端末。
【請求項３１】
第一チャネルがビーコン・チャネルを含む、請求項１８ないし３０のうちいずれか一項記載の移動端末。
【請求項３２】
第二チャネルが制御チャネルを含む、請求項１８ないし３１のうちいずれか一項記載の移動端末。
【請求項３３】
第二チャネルがチャネル割り当てメッセージを通信する、請求項１８ないし３２のうちいずれか一項記載の移動端末。
【請求項３４】
前記複数のパラメータのうち少なくとも一つが、
（ｉ）一連の値；または
（ｉｉ）前記一連の値の平均化処理
のうちの少なくとも一方から形成される、請求項１８ないし３３のうちいずれか一項記載の移動端末。
【請求項３５】
メモリと、該メモリに動作可能的に結合されたプロセッサと、該プロセッサ上で実行可能なプログラム・コードとを有する移動端末であって、該プログラム・コードが：
第一チャネルの受信信号強度を測定し；
第二チャネルの受信干渉レベルを判別し；
第一チャネルの受信信号強度および第二チャネルの受信干渉レベルを含む複数のパラメータを使って第二チャネルの品質指標を予測し；
予測された品質指標に基づいて電波リンク品質状態を同定する、ために動作可能である、移動端末。
【請求項３６】
少なくとも一つの基地局と複数の移動端末との間の通信をサポートするよう構成された無線通信システムであって、少なくとも一つの移動端末は当該無線通信システムにおける電波リンク品質状態を判別でき、そのため該少なくとも一つの移動端末は：
第一チャネルの受信信号強度を測定するための論理と；
第二チャネルの受信干渉レベルを判別するための論理と；
第一チャネルの受信信号強度および第二チャネルの受信干渉レベルを含む複数のパラメータを使って第二チャネルの品質指標を予測するための論理と；
予測された品質指標に基づいて電波リンク品質状態を同定するための論理と、
を有する、無線通信システム。
【請求項３７】
無線通信システムにおいて電波リンク品質状態を判別するためのプログラム・コードであって：
第一チャネルの受信信号強度を測定し；
第二チャネルの受信干渉レベルを判別し；
第一チャネルの受信信号強度および第二チャネルの受信干渉レベルを含む複数のパラメータを使って第二チャネルの品質指標を予測し；
予測された品質指標に基づいて電波リンク品質状態を同定する、ためのプログラム・コードを有するコンピュータ・プログラム・プロダクト。
【請求項３８】
ネットワークと移動端末の間の無線通信システムにおける副次チャネルの電波リンク品質状態を予測する方法であって、該副次チャネルは制御チャネルとして間欠的に使用されるものであり、当該方法は：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較する段階と；
前記複数の計算値のうち前記閾値を過ぎるものの数を判別する段階と；
判別された数が所定の定数を超える場合に電波リンク品質状態を設定する段階とを有する方法。
【請求項３９】
前記複数の計算値のそれぞれが、さらに、前記期間中に副次チャネルに制御メッセージがなかったかどうかを判別し、前記期間中に副次チャネルに制御チャネル・メッセージがなかった場合に前記計算値を与えることによって形成される、請求項３８記載の方法。
【請求項４０】
前記差の値Dが、前記参照チャネル上で送信される信号の送信電力レベルに対する、第二チャネル上で送信される信号の送信電力レベルの減衰を表す、請求項３８または３９記載の方法。
【請求項４１】
ネットワークと当該移動端末の間の無線通信システムにおける副次チャネルの電波リンク品質状態を予測することのできる移動端末であって：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較するための論理と；
前記複数の計算値のうち前記閾値を過ぎるものの数を判別するための論理と；
判別された数が所定の定数を超える場合に電波リンク品質状態を設定するための論理とを有する、移動端末。
【請求項４２】
少なくとも一つの基地局と複数の移動端末との間の通信をサポートするよう構成された無線通信システムであって、少なくとも一つの移動端末は当該無線通信システムにおける副次チャネルの電波リンク品質状態を予測でき、そのため該少なくとも一つの移動端末は：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較するための論理と；
前記複数の計算値のうち前記閾値を過ぎるものの数を判別するための論理と；
判別された数が所定の定数を超える場合に電波リンク品質状態を設定するための論理とを有する、無線通信システム。
【発明の詳細な説明】
【技術分野】
【０００１】
本発明は、概括的には無線通信に、より詳細には電波リンク品質状態の判別に関する。
【背景技術】
【０００２】
無線ネットワークでは、基地局と移動端末との間で、典型的には非対称な量のデータが交換される。移動端末が上りリンク・チャネルにおいて送信するデータは、通例、基地局が移動端末に下りリンク・チャネルで送信するデータに比べて、一部の割合である。限られた電波資源をより効率的に使用するため、ネットワークは、この期待される非対称な需要に合わせるよう、上りリンク・チャネルおよび下りリンク・チャネルを割り当てうる。
【０００３】
さらに、下りリンク・チャネル容量の需要は間欠的でありうる。たとえば、インターネット・サーフィンをしているユーザーは、ウェブページにアクセスするために上りリンクで若干のコマンドを送信しうる。ひとたびウェブページが利用可能になると、ネットワークはウェブページのデータをユーザーに下りリンクで送信する。ユーザーが次のリンクを選択するか、別のウェブページに行くまでは、ユーザーデータは転送されない。
【０００４】
無線システムは、ユーザーデータを転送するために、しばしば、二つの方法のうちの一方を使用する。無線システムによっては、基地局と移動局との間のリンクを確立するのは、ネットワークがユーザーデータを受信し、ユーザーデータがユーザーに転送されるのを待つ状態になってからである。ユーザーデータの新しいブロックが到着するたびに、システムは基地局と移動端末との間に新しい接続を確立し、次いでデータを転送する。ひとたびデータ転送が完了すると、電波資源を解放するため、接続はサスペンドされてもよく、チャネルは別のデータ転送のために空けられる。この方式は、他の仕方ではチャネルがアイドルになるようなときに、データ・チャネルが確立されないという利点を有する。電波資源のこの効率的な使用は、データ転送の遅延増という代償を伴う。すなわち、リンクを確立するのに必要な時間のぶん、各データ転送に追加的な遅延が加わるのである。
【０００５】
代替的に、無線システムは、基地局と移動局との間に専用チャネルを確立してもよい。そのようなシステムでは、ユーザーデータの到着に先立ってリンクが確立され、接続確立の遅延はユーザーデータを転送するのに必要とされる時間から無視されうる。典型的には、専用チャネルは移動端末への転送のために新たなデータが届くまではアイドルのままである。ユーザーデータが到着する前に専用チャネルが確立される場合、移動端末は、ユーザーデータ転送に先立ってリンク品質を判別するために専用チャネルをモニタリングしうる。残念ながら、そのようなシステムは、データが全く転送されないかもしれないにもかわらず、各移動端末について少なくとも一つのチャネルを占有する。
【０００６】
転送のためのデータが利用可能になるのに先立って確立されるリンクを規定する無線ネットワークシステムの一例は、第三世代パートナーシップ・プロジェクト（3GPP）によって定義される高速下りリンク・パケット・アクセス（HSDPA:  High  Speed  Downlink  Packet  Access）である。3GPP  HSDPAシステムは向上したパケット・データ・サービスのためのサポートを提供するが、該サービスは高速下りリンク共有チャネル（HS-DSCH:  high-speed  downlink  shared  channel）をヘビーに利用しうる。3GPP  HSDPA勧告は、上りリンクおよび下りリンクの両方向で、確立された、関連付けられた、専用の物理的チャネル（DPCH:  dedicated  physical  channel）を指定する。典型的には、専用トランスポート・チャネル（DCH:  dedicated  transport  channel）はCDMAコードを割り当てられ、DPCHにマッピングされる。典型的なHSDPAシステム内では、DCHは、低レートの信号伝達およびその他バックグラウンドのより上位層のデータをユーザーに運ぶために使用される――それにより、より高レートのデータ転送は、高速下りリンク共有チャネル（HS-DSCH）をかなり使用する。
【０００７】
DCH上での転送のために利用可能なユーザーデータも信号伝達情報もないとき、DCHは多分に不使用だが、下りリンク上でのCDMAコードコード資源を占有し続ける。HSDPAシステムにおける移動端末は、下りリンクDCHをモニタリングして、全体としての信号品質を決定しうる。次いで移動端末はその信号品質測定を使って、該移動端末がネットワークとデータ通信状態にあるかどうかを判別する。下りリンク受信が受け容れられないほど貧弱であると判別されると、移動端末は電波リンクの再確立を試みうる。そしてまた、上りリンクのために使われる電波資源を解放してその送信を止めもしうる。
【０００８】
残念なことに、各専用チャネルはたとえアイドルなときでも資源を占有する。CDMAシステムでは、各専用チャネルは、そのチャネルに割り当てられた一意的なCDMAコードまたはコード集合にマッピングされうる。TDMAコンポーネントをもつCDMAシステムでは、コード資源は、所定の時間期間すなわち時間スロットをも申請しうる。CMDAシステムでは利用可能なCDMAコードは（およびもし該当すれば時間スロットも）CDMAシステムにおける有限な資源であるので、全体として、これらのリザーブされているが事実上不使用のコードのそれぞれは、システムのパフォーマンスおよび容量を悪化させる。そのような多数の確立されているがアイドルなリンクをもつ状況では、システムはコード制限された（code-limited）ものになりうる。
【発明の開示】
【発明が解決しようとする課題】
【０００９】
したがって、より効率的にコード資源を使用し、システム容量を改善する、間欠的なユーザーデータを転送するための無線ネットワークを実装することが望ましい。これを達成しうる方法は、より上位層のデータおよび信号伝達をユーザーに（間欠的）下りリンク共有チャネル上で送信し、それにより下りリンク専用チャネルの必要を軽減することによる。しかしながら、下りリンク専用チャネルがなくても、下りリンク品質を判別し、電波リンク品質状態を確立する手段は提供され続ける必要がある。
【課題を解決するための手段】
【００１０】
副次信号を受信することなく副次チャネルの信号品質指標を予測することによって無線通信システムにおける電波リンク品質状態を判別するための方法が提供される。予測信号品質指標は、受信された参照信号および測定された干渉レベルを処理することから判別されうる。
【００１１】
いくつかの実施形態は、無線通信システムにおいて電波リンク品質状態を判別する方法であって：第一チャネルの受信信号強度を測定し；第二チャネルの受信干渉レベルを判別し；第一チャネルの受信信号強度および第二チャネルの受信干渉レベルを含む複数のパラメータを使って第二チャネルの品質指標を予測し；予測された品質指標に基づいて電波リンク品質状態を同定することを含む方法を提供する。
【００１２】
さらに、いくつかの実施形態は、以下の一つまたは複数を含む。
【００１３】
いくつかの実施形態では、予測される品質指標は、第二チャネルの信号対雑音比（SNR）または信号対雑音・干渉比（SNIR）である。
【００１４】
いくつかの実施形態では、前記複数のパラメータはさらに、差の値Dを含む。いくつかの実施形態では、第二チャネルの品質指標を予測することは：第一チャネルの受信信号強度と；第二チャネルの受信干渉レベルに負号を付けたものと；差の値Dとを組み合わせることを含みうる。
【００１５】
いくつかの実施形態では、値Dは、第一チャネル上で送信される第一信号の送信電力レベルに対する、第二チャネル上で送信される第二信号の送信電力レベルの最小減衰を同定する。あるいはまた、いくつかの実施形態では、値Dは、第一チャネル上で送信される第一信号の送信電力レベルに対する、第二チャネル上で送信される第二信号の送信電力レベルの減衰である。
【００１６】
いくつかの実施形態では、前記複数のパラメータはさらに：第一チャネル上で送信される第一信号の送信電力レベルと；第二チャネル上で送信される第二信号の送信電力レベルとを含む。いくつかの実施形態では、前記複数のパラメータの少なくとも一つは、ネットワークから移動端末に無線で信号伝達される。いくつかの実施形態では、前記複数のパラメータの少なくとも一つは、ネットワークから複数の移動端末に無線で放送される。いくつかの実施形態では、前記複数のパラメータのうち少なくとも一つは定数値である。
【００１７】
いくつかの実施形態では、電波リンク品質状態を同定することは、予測品質指標の複数の決定からある統計量を計算することを含む。いくつかの実施形態では、電波リンク品質状態を同定することはさらに：前記統計量をある閾値と比較し、該比較に基づいて電波リンク品質状態を設定することを含む。
【００１８】
いくつかの実施形態では、第一チャネルは、ある期間にわたって一定の送信電力レベルを有するチャネルである。いくつかの実施形態では、前記第一チャネルはある第一の時間スロット期間内に送信され、前記第二チャネルは前記第一時間スロット期間とは異なるある第二の時間スロット期間内に送信される。いくつかの実施形態では、第一チャネルは第一のコードを用いて送信され、第二チャネルは前記第一のコードとは異なる第二のコードを用いて送信される。いくつかの実施形態では、第一チャネルはビーコン・チャネルを含む。いくつかの実施形態では、第二チャネルが制御チャネルを含む。いくつかの実施形態では、第二チャネルはチャネル割り当てメッセージを通信しうる。
【００１９】
いくつかの実施形態では、前記複数のパラメータのうち少なくとも一つが一連の値から形成される。たとえば、測定値に対する低域通過フィルタ処理または算術的な平均の実行による、一連の値の平均化処理からパラメータが形成される。
【００２０】
いくつかの実施形態は、ネットワークと移動端末との間の無線通信システムにおいて副次チャネル上での電波リンク品質状態を判別する方法であって、副次チャネルは間欠的に制御チャネルとして使用され；参照チャネル上で受信された参照レベル（Sreference）を測定し、ある期間内に副次チャネル上で受信されたレベル（Isecondary）を測定し、前記期間中、副次チャネルに制御メッセージがなかったかどうかを判別し、前記期間中、副次チャネルに制御チャネル・メッセージがなかった場合、ある差の値をDとしてSreference−Isecondary−Dとして計算値を与える、ことによって逐次形成される複数の計算値に対してある閾値を比較する段階と；前記複数の計算値のうち前記閾値を過ぎるものの数を判別する段階と；判別された数が所定の定数を超える場合に電波リンク品質状態を設定する段階とを有する方法を提供する。
【００２１】
いくつかの実施形態は、上記のうちの一つまたは複数の組合せを含む。たとえば、いくつかの実施形態では、前記差の値は、前記参照チャネル上で送信される信号の送信電力レベルに対する、第二チャネル上で送信される信号の送信電力レベルの減衰を表す。
【００２２】
本発明の他の特徴および側面は、付属の図面とともに参照される以下の詳細な記述から明らかとなるであろう。図面は、例として、本発明の実施形態に基づく特徴を示す。本要約は本発明の範囲を限定することを意図したものではない。本発明の範囲は、ここに付属する請求項によってのみ定義される。
【発明を実施するための最良の形態】
【００２３】
以下の記述では、本発明のさまざまな実施形態を例示する付属の図面を参照する。その他の実施形態を使うこともでき、本開示の精神および範囲から外れることなく機械的、組成的、構造的、電気的および動作的変更を施すこともできることは理解される。以下の詳細な記述は限定する意味で解釈されるものではなく、本発明の諸実施形態の範囲は発行される特許の請求項によってのみ定義される。
【００２４】
以下の詳細な記述のいくつかの部分は、手順、ステップ、論理ブロック、処理およびコンピュータメモリ上で実行できるデータビットに対する動作のその他のシンボル的な表現を用いて呈示される。手順、コンピュータ実行されるステップ、論理ブロック、プロセスなどは、ここでは、ある所望の結果につながるステップまたは命令の自己無矛盾なシーケンスであると考える。ステップは、物理量の物理的操作を利用するものである。これらの量は、コンピュータシステムにおいて、記憶され、転送され、組み合わされ、比較され、その他の仕方で操作されることのできる電気信号、磁気信号または電波信号の形をとることができる。これらの信号は、時に、ビット、値、要素、シンボル、キャラクタ、項、数などと称されることがある。各ステップは、ハードウェア、ソフトウェア、ファームウェアまたはそれらの組み合わせによって実行されうる。
【００２５】
図１は、いくつかの移動局（mobile  station）２００を含むセル１１０をなす基地局１００を示している。CDMAネットワークでは、基地局１００への専用リンクをもつ各移動局２００はコード資源を占有する。CDMAコード資源をよりよく利用する一つの解決策は、転送するためのユーザーデータが利用可能である時間の間以外はアイドルなままである専用チャネルの使用をなくすことである。たとえば、HSDPAネットワークでは、転送するためのユーザーデータが利用可能でないときは、下りリンクDPCHチャネルは確立されない。
【００２６】
下りリンク・データを期待する各移動局に下りリンク・チャネルを固定的に割り当てる代わりに、ネットワークは下りリンク・データ・チャネルの共有プールを使用することができる。ユーザーデータがネットワークに到着するときで、その共有プールからの下りリンク・データ・チャネルが利用可能であるときは、ネットワークは、その共有プールからの一つまたは複数の下りリンク・チャネルをユーザーデータ配送のために動的に割り当てうる。ネットワークは、割り当てメッセージを共通の制御チャネル上で送信し、移動局に、ユーザーデータが特定の一つまたは複数の下りリンク・データ・チャネル上で伝送されることを伝える。各移動局は、下りリンク・データ・チャネル割り当てメッセージについて、この共有制御チャネルをモニタリングしうる。あるUEが割り当てメッセージを受信すると、その移動局はその割り当てメッセージで同定された信号を処理しうる。
【００２７】
残念ながら、移動端末内では、下りリンクの品質を判別するために、下りリンクDPCHのような専用下りリンク・チャネルが使われている。この品質尺度は、同期内または同期外の電波リンク品質状態を判別するために使用されうる。その電波リンク品質状態はさらに、電波リンクが不全状態にあるかどうかを判別するためにUEによって使用されうる。この判別を行うプロセスは、同期内／同期外検出（in-synchronization/out-of-synchronization  detection）または同期内／外検出（in/out  sync  detection）と称されうる。専用チャネルなしでは、同期内／外検出はより面倒になる。同期内／外検出のプロセスをさらに複雑にする事実として、UEが、低品質の信号を搬送するチャネルと信号のないチャネルの区別をするのが困難でありうるということがある。たとえば、貧弱な品質のチャネルを通じて送信される割り当てメッセージは受信機にはノイズと見えることがある。
【００２８】
図２は、良好な信号伝達条件下で基地局１００と移動局２００との間で伝送される信号の図を示している。基地局１００および移動局２００からのチャネルが示す誤りの数が受け容れ可能な数のとき、基地局１００によって移動局２００に送信される各下りリンク信号は、移動局２００によって適正に受信されうる。同様に、移動局２００および基地局１００からのチャネルが示す誤りの数が受け容れ可能な数のとき、移動局２００によって基地局１００に送信される各上りリンク信号は、基地局１００によって適正に受信されうる。
【００２９】
典型的には、無線ネットワークにおいて、基地局１００は、すべての移動局２００に対して、システム・オーバーヘッド情報を参照チャネル３００上でブロードキャストする。間欠的に、移動局２００はユーザーデータ４００（たとえば、ウェブページの内容をダウンロードする要求）を送信し、将来の何らかの時点に応答を期待することがある。応答として、基地局１００は所与のセル内の移動局２００のためのネットワークからユーザーデータを受信する。基地局１００が制御チャネル５００上で移動局２００に割り当てメッセージを送信し、ある短時間後、ユーザーデータ６００も送信される。代わりに、移動局２００は、上りリンク・チャネル確認メッセージ７００を送信することによって、割り当ておよび下りリンク・ユーザーデータの受領を確認する。
【００３０】
図３は、劣悪な信号伝達条件下で基地局と移動局との間で伝送される信号の図である。ネットワークがある移動局２００についてのユーザーデータを受信すると、基地局１００は制御チャネル５００上で割り当てメッセージを送信し、その後まもなくユーザーデータ６００を送信する。
【００３１】
チャネル品質が低いまたは劣悪である場合、移動局は前記割り当てメッセージを受信できず、よって、上りリンクで確認を送信しないことがありうる。基地局が確認を受信しない場合、基地局は割り当て５００およびユーザーデータ６００のメッセージの送信を反復しうる。こうして、移動局が割り当てメッセージを受信できるはずだとネットワークが信じる場合には、基地局１００は、一つまたは複数の割り当てメッセージおよびユーザーデータのインスタンスを移動端末２００に送信するために資源を使用する。
【００３２】
割り当てメッセージを通信するのに十分な品質をチャネルがもたないかもしれないと移動端末２００が判定できれば、移動端末２００は、基地局１００を介してネットワークに、自分がネットワークとの同期外であることおよび下りリンク電波リンクが不全となっていることを示しうる。こうして、ネットワークおよび基地局１００は、メッセージを受信できないかもしれない移動局に割り当てメッセージおよびユーザーデータ・メッセージを送信することを控えることになる。
【００３３】
図４は、本発明に基づく、劣悪な信号伝達条件下で基地局１００と移動局２００との間で伝送される信号の図を示している。基地局１００は参照チャネル信号３００をブロードキャストしている。移動局２００は参照チャネル３００をモニタリングする。移動端末２００がリンク品質が不十分であると判定する場合、移動端末は同期外状態および対応する電波リンク不全報告を宣言しうる。
【００３４】
ひとたび移動端末が、自らが電波リンク不全の状態にあると判定すると、いくつかの行動がとられうる：（１）適切な是正手順が実行されうるよう、移動端末における物理層より上のプロトコル諸層が通知を受ける；（２）上りリンクDPCH伝送が打ち切られうる；および（３）移動端末一時識別子およびその他の電波資源が解放される。
【００３５】
移動端末における物理層より上のプロトコル諸層が下りリンクに品質問題があるとの通知を受けると、移動端末は接続を再確立しようとして適切な行動を取り得る。移動端末の物理層（層１）は、移動端末のより上の諸層に同期外または同期内プリミティブを報告する。より上の諸相は次いで、電波リンク不全メッセージが基地局（ノードB）を介して電波ネットワークコントローラ（RNC:  radio  network  controller）に通信されるべきかどうかについて決定をする。上りリンクがメッセージを通信できる場合、移動端末２００は、自分がもはや基地局１００と同期していないことを、無線リンク不全メッセージを用いて示しうる。基地局と移動局との間の接続を再確立するためには、電波資源解放および復元機能が使用されうる。
【００３６】
上りリンクDPCH送信を打ち切ることによって、移動端末が、不毛な送信による不相応なシステム干渉を引き起こすことが防止される。たとえば、時分割二重（TDD）システムでは、上りリンク・コード資源を解放するためには、リンクがすでに切断されていてもよく、他のユーザーの送信に干渉しうる上りリンク送信を続けることは移動端末において何の恩恵もないこともある。
【００３７】
より上位のある層が移動端末一時識別子を解放すると、ネットワークはその識別子を別の移動端末のために再利用しうる。さらに、いったん電波リンクが改善したら、移動端末は別のユーザーのために意図されたデータを処理しない。
【００３８】
下りリンクDCHにマッピングされる上位層データがないときは、その下りリンクDPCHは除去されてもよい。下りリンクDCHなしでは、移動端末はもはや、同期内／同期外状態を判別するための下りリンクDCH測定を使用できない。移動端末は、その下りリンクDPCHがなくても、下りリンク品質を推定し続けるべきである。
【００３９】
将来の何らかの時点で、チャネルが改善することがありうる。移動端末２００はその後の参照チャネル３００をモニタリングし、物理層同期が再び得られたことを判別しうる。これは、移動端末２００におけるより上位の諸層による電波リンク不全の宣言を防止しうる。
【００４０】
図５は、本発明に基づく、良好な信号伝達条件下でノードB１００とユーザー装置（UE:  user  equipment）２００との間で伝送される信号の図である。HSPDAシステムを実装する3GPPネットワークでは、ノードB１００はビーコン・チャネル（BCH）３００をブロードキャストしており、これが参照チャネルとして使用されうる。UE２００はこのBCHをモニタリングし、下りリンク・データを期待しているならば、割り当てメッセージについて、高速共有制御チャネル（HS-SCCH:  high  speed-shared  control  channel）５００をもモニタリングする。ノードB１００は、HS-SCCH５００上で割り当てメッセージを送信したのち、高速下りリンク共有チャネル（HS-DSCH）６００上でユーザーデータを送信しうる。
【００４１】
下りリンク・データ送信が成功するためには、割り当てチャネル送信（HS-SCCH）および共有チャネルデータ送信（HS-DSCH）の両方の信号がUEで十分な品質で受信されなければならない。いずれかが失敗すれば、データは受信されない。こうして、付随する下りリンクDPCHなしでHSDPAを運用するときの下りリンク品質は、二つの障害点（points  of  failure）がある：HS-SCCHとHS-DSCHである。
【００４２】
各チャネル上の品質は、それぞれに対してネットワーク側で異なる電力が適用されうるので、必ずしも相関していない。さらに、各チャネル上での干渉は移動受信機において異なりうる。同期内／同期外を判別する目的のためになされる下りリンク品質の推定は、HS-SCCHだけの品質か、HS-SCCHおよびHS-DSCH両方の上での品質の推定を取り入れうる。
【００４３】
HS-DSCH上の品質は、HS-SCCH上の品質よりも、比較的容易に判別しうる。具体的には、UEはHS-SCCH割り当てを受信すればいつHS-DSCHデータを受信するかがわかるが、HS-SCCH割り当てをいつ受信するかはわからないからである。HS-SCCH上で割り当てが受信されたとなれば、UEはその受信機を、やがて来るHS-DSCHユーザーデータを受信するよう適切に構成できる。
【００４４】
HS-DSCH受信の品質は、さまざまな技法を使って推定しうる。たとえば、受信信号強度（S）、信号対雑音比（SNR）または信号対雑音・干渉比（SNIR）が推定され、ある閾値と比較されてもよい。あるいはまた、HS-DSCH上で搬送されるデータの完全性（integrity）が、用いられる前方誤り訂正（FEC）方式の既知の属性を使うことによって、あるいは当該データに付加された巡回冗長検査（CRC）フィールドを検査することによって推定されてもよい。
【００４５】
これに対し、HS-SCCH上の品質は判別がより難しい。これは、HS-SCCHが、スケジューリングされたチャネルではなく、共通チャネルだからである。UEは、HS-SCCHが送信されるかどうかは先験的にはわからない。UEは絶えず、自分に向けられたHS-SCCH割り当てメッセージがあるかどうかチェックしなければならない。こうして、リンク品質についてチェックするのに加えて、UEはその特定のUEのためにHS-SCCHが送信されたかどうかについての判定もしなければならないのである。
【００４６】
UEは、そのUEへの割り当てが信号伝達されうる一組のHS-SCCHを有している。時によっては、ある所与のHS-SCCH上にそのUEのための割り当てが存在するが、別の時にはそのHS-SCCHが他のUEへのデータ・チャネルを割り当てるために使われる。さらに別の時には、特定のHS-SCCHを使って割り当てを信号伝達されるユーザーはいない。
【００４７】
UEは、HS-SCCHメッセージ内で信号伝達されるHSDPA電波ネットワーク一時識別子（H-RNTI：  HSDPA  radio  network  temporary  identifier）値の結果として、自らに向けられたHS-SCCHを識別できる。一致するH-RNTIを不正に検出する確率は、やはりメッセージ中で送信される巡回冗長検査（CRC）フィールドによって改善される。3GPP内では、H-RNTI値を既存のHS-SCCHのCRCフィールド内で送信する効率節約法が実装されるが、論理的には、H-RNTIとCRCは相変わらず別個に送信される情報フィールドと考えられうる。
【００４８】
HS-SCCH  CRCに対して実行されるデータ完全性検査が合格となり、検出されたH-RNTIがUEのものに一致すれば、HS-SCCHメッセージはUEによってうまく受信されたと考えられる。このようにして、UEは、共通チャネル上のあらゆるユーザーへの送信の組のうちから、自分に向けられたHS-SCCHのみを抽出できる。成功したHS-SCCH受信の数の尺度はUE内で知られる。しかしながら、試みられたHS-SCCH送信の総数は、受信機内では直接には知られない。よって、良好なHS-SCCHの全HS-SCCHに対する比（品質の指標）は知られない。
【００４９】
H-RNTIの判別がCRC合格基準に依存しているということは、UEは、CRCフィールドだけを使って、自分に向けられた（だが劣悪な品質で受信された）送信とそのUEへのHS-SCCH送信の欠如とを区別することはできないということを意味している。よって、HS-SCCHの下りリンク誤りのパフォーマンスは、ある精度をもって判別するのは難しい。
【００５０】
TDD  HSPDAシステムについてこの問題を迂回するために、HS-SCCHに巡回カウンタ・フィールド（HSCN）が組み込まれうる。このフィールドは、各UEについて、そのUEにHS-SCCHが送信されるたびにインクリメントされる。そして、UEは、正しく受信されたHS-SCCHそれぞれに際して、HCSNの状態を検査でき、そのUEが受け取り損ねたHS-SCCHがいくつあったかをそこそこの精度で判別しうる。よって、UEは、受信されたHS-SCCHメッセージと送信された全HS-SCCHメッセージの比を形成することによってHS-SCCH品質を推定しうる。下りリンクのHS-SCCH品質を推定するこの方法が必要とするのは：（１）品質が推定されうる前の、UEに対する、HS-SCCH上での送信；および（２）そのHS-SCCHがCRCに合格すること、である。この方法は、UEが下りリンク・データをスケジューリングされていないと機能し損なうし、また、HS-SCCH品質が突然非常に劣悪になり、メッセージが受信されなくなるとやはり機能し損なう。この方法はまた、CRC合格が経験されず、UEが、受信されたHSCN値に基づいて受け取り損なったHS-SCCHの数の推定を更新できないときにも機能し損なう。
【００５１】
HS-SCCH品質を推定する第二の方法は、受信されたHS-SCCHの信号対雑音・干渉比（SNIR）を測定することである。しかしながら、ここでもまた、この方法はいくつかの欠点がある。HS-SCCHは一般に、各ユーザーに対して異なる電力制御をされるので、UEは自分に宛てられたHS-SCCHのSNIRしかチェックできない。UEがメッセージが自分に宛てられたものかどうかを知ることができるためには、CRCが合格しなければならない。この方法は、上記のように、UEがHS-SCCHメッセージを検出しないときには機能し損なうし、HS-SCCH品質の突然の悪化に際しても機能しないことがありうる。
【００５２】
したがって、移動端末が、そのUEへのHS-SCCH送信がないときでもHS-SCCH品質を推定でき、さらにHS-SCCH品質が急に悪化するときでも動作できる必要性が存在している。そのような方法は、時間領域二重（TDD）システムおよび周波数領域二重（FDD）システムの両方について有用でありうる。
【００５３】
図６は、時間領域二重（TDD）システムの信号伝達構造を示す図である。一連の下りリンクおよび上りリンクの時間スロット（TS）がTDDフレーム（図ではフレームn、フレームn+1、フレームn+2）にまとめられている。各フレームは、時間スロット（図ではTS0,  1,  2,  3）のシーケンスに細分されうる。時間スロットは上りリンクまたは下りリンクのトラフィックのいずれのために使用されてもよい。図は、各フレームの時間スロットTS0を、ビーコン・チャネル（BCH）を担うものとして示している。フレームnの残りの時間スロット（TS1,  2,  3）およびフレームn+1の時間スロット２はアイドルである。割り当てチャネルHS-SCCHはフレームn+1およびフレームn+2の時間スロット１に示されている。ユーザーデータ・チャネルHS-DSCHはフレームn+1の時間スロット３およびフレームn+2の時間スロット２および３に示されている。
【００５４】
図７は、周波数領域二重（FDD）システムの下りリンク信号伝達構造を示す図である。基地局は連続的にビーコン・チャネル（BCH）を送信している。ひとたび割り当てメッセージが必要とされると、HS-SCCHチャネルが下りリンク・シングルに挿入される。割り当てメッセージは、UEを、その後送信されるHS-DSCHに向かせる。
【００５５】
本発明のいくつかの実施形態は、UEが、HS-SCCH送信がなくてもHS-SCCH送信の潜在的な品質を推定しうる方法を含む。該方法は、関連する下りリンクDPCHなしでHSPDAを動作させるときに、UEのために、同期内／同期外指標の生成を容易にするために使用されうる。該方法はさらに、HS-SCCHまたはHS-DSCHチャネルのいずれかを使った実際の下りリンク・データ送信がないときに動作可能である。
【００５６】
いくつかの実施形態では、本発明は、下りリンク上の別の通常の送信の存在に依存する。この通常の送信は割り当てチャネルがないときに参照として使用される。
【００５７】
3GPPのTDDモードについては、下りリンクDPCHがないとき、ビーコン物理チャネル（BCH）が前記参照として使用されうる。BCHは、UEにわかっている一定の参照電力（Preference）で送信される。しばしば、BCH位置はP-CCPCHチャネル（BCH情報を搬送するために使用される）によって占められるが、他のチャネルでも参照機能を満たしうる。
【００５８】
3GPPのFDDモードについては、完全な下りリンクDPCHは、分割化された（fractionated）下りリンクDPCH（F-DPCH）で置き換えられうる。F-DPCHは、複数ユーザーのための少量のパイロットおよび電力制御コマンド（TPC）情報が多重化されうる物理チャネルである。したがって、F-DPCHは参照チャネルとして使用されうる。あるいはまた、（TDDについてのビーコン物理チャネルのように）UEにわかっている一定の参照電力で送信されるプライマリーC-PICHを使用してもよい。
【００５９】
図８は、本発明に基づく送信機および受信機に関する相対電力レベルを示している。基地局は、参照チャネル上で第一の信号を参照電力レベル（Preference）で送信しうる。この参照信号は、基地局と移動端末との間のチャネルを渡る。移動端末の受信機のところでは、参照信号はチャネル経路損失により低減されており、ある電力レベル（Sreference）で受信される。同様に、送信されるべき第二チャネルは電力レベル（Psecondary）で送信されることになる。チャネル経路損失により低減されたのち、移動端末は電力レベル（Ssecondary）をもつ信号を受信することになる。参照信号と第二信号の送信信号電力の差は、D＝Preference−Psecondaryとして表現される。受信機によって見られる雑音＋干渉フロアは、Isecondaryと示される。
【００６０】
たとえば、BCHはPreference＝0  dBmで送信されうる。割り当てメッセージのために使われる間欠的チャネルはPsecondary＝−10dBmで送信される。したがって、差の値はD＝Preference−Psecondary＝＋10dBである。基地局と移動端末との間のチャネルが90dBの経路損失を有するとすると、それぞれの受信された参照チャネル電力および受信された二次電力は、Sreference＝−90dBm、Ssecondary＝−100dBmとなる。雑音フロア測定はIsecondary＝−105dBmとなりうる。
【００６１】
図９は、本発明に基づく、電波リンク品質状態を判別するシステムのブロック図を示している。ブロック９１０では、移動端末が第一チャネルの受信された信号強度を測定する。第一チャネルは、第二チャネルで期待される経路損失を推定するのを助けるための参照チャネルとして使われる。TDDシステムにおける第一チャネルは物理的なビーコン・チャネル（BCH）でありうる。CDMA  FDDシステムにおける第一のチャネルはパイロット・チャネルでありうる。
【００６２】
ブロック９１０によって与えられる値（Sreference）は単独の測定を表していてもよいし、あるいは平均値であってもよい。平均値は、一連の単独の測定を平均することによって、あるいは窓（windowing）関数、FIRフィルタまたはIIRフィルタを通じるなど他の仕方で該一連の単独の測定を低域通過フィルタ処理することによって形成されうる。
【００６３】
ブロック９２０では、移動端末は第二チャネル上で受信された干渉レベルを測定する。移動端末は、第二チャネル上で送信される信号の存在時または不在時に干渉レベルを測定するための手段を有しうる。よって、移動端末のために意図された信号が送信および検出されるとき、あるいは信号が送信されないとき、あるいは他のユーザーのための信号しか送信されないときに、移動端末が干渉測定を行うことが可能となりうる。
【００６４】
ブロック９２０によって与えられる値（Isecondary）は単独の測定を表していてもよいし、あるいは平均値であってもよい。平均値は、一連の単独の測定を平均することによって、あるいは窓（windowing）関数、FIRフィルタまたはIIRフィルタを通じるなど他の仕方で該一連の単独の測定を低域通過フィルタ処理することによって形成されうる。
【００６５】
ブロック９３０では、移動端末は差の値（D）を与える。差の値は、基地局から移動局に直接または間接的に信号伝達されうる。差の値は、PreferenceとPsecondaryを単独の値に組み合わせたもの、すなわち差によって、あるいは別々の両項によって表現されうる。
【００６６】
ブロック９１０、９２０および９３０はdBまたは線形の形でのそれぞれの信号値を与える。dBの形であれば、組み合わせは足し算または引き算の形となる。線形の形であれば、組み合わせはかけ算および割り算の形となる。たとえば、DがdB単位の単独の項によって表現されている場合、Dは引き算D＝Preference−Psecondaryによって形成されうる。Dが線形の形の単独の項によって表現されている場合、Dは割り算D＝Preference／Psecondaryによって形成されうる。
【００６７】
組み合わせ器９４０は第二チャネルの予測されたSNIRを与える。dBでは組み合わせ器は予測されたSNIR＝Sreference−D−Isecondaryを形成する。線形の形であれば、組み合わせ器は予測されたSNIR＝（Sreference／D）／Isecondaryを形成する。先に挙げた例示値を使うと、予測さるのはSNIR＝−90dBm−（＋10dBm）−（−105dBm）＝＋5dBである。
【００６８】
組み合わせ器９４０によって与えられる値（予測されたSNIR）は単独の測定を表していてもよいし、あるいは平均値であってもよい。平均値は、一連の単独の測定を平均することによって、あるいは窓（windowing）関数、FIRフィルタまたはIIRフィルタを通じるなど他の仕方で該一連の単独の測定を低域通過フィルタ処理することによって形成されうる。
【００６９】
ブロック９５０では、予測されたSNIRが閾値（Q）と比較され、品質指標が決定される。たとえば、予測されたSNIRが閾値（Q）に満たなければ、品質指標は同期外状態に設定されうる。たとえば、閾値（Q）は−12dBに設定されうる。予測されたSNIRが−12dB未満と推定されている場合、品質指標は同期外状態に設定される。
【００７０】
ブロック９６０では、一連の品質指標が解析され、電波リンク不全が宣言されるべきかどうかが判定される。たとえば、同期外状態を表していると判定された品質指標の数、あるいは所定の時間期間内に同期外状態を表すと判定された品質指標の数が、閾値（S）を超える場合、移動端末は、第二チャネルの下りリンクが、該移動端末にメッセージを通信するには不十分であると宣言しうる。
【００７１】
図１０は、本発明に基づく、予測されるSNIRのグラフを、結果として得られる同期内／同期外および電波リンク不全の判定に関して示す図である。組み合わせ器９４０（図９参照）は、予測されたSNIRの値の離散的な組を生成する。品質指標は、閾値比較によって決定されることができ（図９、ブロック９５０参照）、同期内または同期外の二値の品質指標の値を生成しうる。スライディング窓を使って、該スライディング窓内で同期外の値が決定された回数を合計できる。この数が第二の閾値（S）を超えれば、電波リンク不全状態が宣言されうる（図９、ブロック９６０参照）。
【００７２】
同期外状態または電波リンク障害が宣言される場合、移動ラジオは、リンクを再確立しようとして、解放および復元（release-and-restore）機能を開始しうる。
【００７３】
本発明について、特定の実施形態および例示的な図面を用いて述べてきたが、当業者は本発明が記載されている実施形態や図面に限定されないことを認識するであろう。たとえば、SNIRは、SNR値または他の信号品質インジケータで置き換えてもよい。差の値Dはブロードキャストまたは信号伝達されうる。あるいはまた、第一および第二の送信電力レベルが移動端末に通信されてもよい。
【００７４】
与えられている図面は単に表象であって、縮尺通りに描かれていないこともある。そのある比率は誇張されていることがある一方、他は最小化されていることがある。図面は、当業者によって理解され、適切に実行されることのできる本発明のさまざまな実装を例示している。したがって、本発明は、付属の請求項の精神および範囲内で、修正および変更を入れて実施することができることは理解しておくべきである。本記載は、網羅的であることも、開示されている厳密な形に本発明を限定することも意図されてはいない。本発明は、修正および変更を入れて実施されることができ、本発明は請求項およびその等価物によってのみ限定されることを理解しておくべきである。
【図面の簡単な説明】
【００７５】
【図１】いくつかの移動局を含むセルを形成する基地局を示す図である。
【図２】良好な信号伝達条件下で基地局と移動局との間で伝送される信号の図である。
【図３】劣悪な信号伝達条件下で基地局と移動局との間で伝送される信号の図である。
【図４】本発明に基づく、劣悪な信号伝達条件下で基地局と移動局との間で伝送される信号の図である。
【図５】本発明に基づく、良好な信号伝達条件下でノードBとユーザー装置との間で伝送される信号の図である。
【図６】時間領域二重（TDD）システムの信号伝達構造を示す図である。
【図７】周波数領域二重（FDD）システムの下りリンク信号伝達構造を示す図である。
【図８】本発明に基づく、送信機と受信機に関する相対電力レベルを示す図である。
【図９】本発明に基づく、電波リンク品質状態を判別するシステムのブロック図である。
【図１０】本発明に基づく、予測されるSNIRのグラフを、結果として得られる同期内／同期外および電波リンク不全の判定に関して示す図である。
【図１】
2008537852.tif 000003
【図２】
2008537852.tif 000004
【図３】
2008537852.tif 000005
【図４】
2008537852.tif 000006
【図５】
2008537852.tif 000007
【図６】
2008537852.tif 000008
【図７】
2008537852.tif 000009
【図８】
2008537852.tif 000010
【図９】
2008537852.tif 000011
【図１０】
2008537852.tif 000012
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
無線通信システムにおいて電波リンク品質状態を判別する方法であって：
第一チャネルで第一信号を送信し；
第一チャネルでの前記第一信号の受信信号強度を測定し；
第二チャネルでの受信された第二信号の受信干渉レベルを判別する段階を有しており；
当該方法は：
第一チャネルでの第一信号の送信信号強度と第二チャネルでの送信された第二信号の最大送信信号強度との差の値（D）を計算し；
前記差の値（D）をネットワークから少なくとも一つの移動端末に無線送信し；
無線送信された差の値（D）、第一チャネルの受信信号強度および第二チャネルの判別された受信信号の受信干渉レベルを含む複数のパラメータを使って第二チャネルの品質指標を予測し；
予測された品質指標に基づいて電波リンク品質状態を同定することを特徴とする方法。
【請求項２】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１記載の方法。
【請求項３】
Dが、第一チャネル上で送信される第一信号の送信電力レベルに対する、第二チャネル上での送信される第二信号の送信電力レベルにおける最小減衰を同定する、請求項１または２記載の方法。
【請求項４】
Dが、第一チャネル上で送信される第一信号の送信電力レベルに対する、第二チャネル上で送信される第二信号の送信電力レベルにおける減衰である、請求項１または２記載の方法。
【請求項５】
前記複数のパラメータがさらに：
第一チャネル上で送信される第一信号の送信電力レベルと；
第二チャネル上で送信される第二信号の送信電力レベルと、
を含む、請求項１ないし４のうちいずれか一項記載の方法。
【請求項６】
前記差の値（D）を無線送信する段階が：
（ｉ）Dをネットワークから移動端末に無線で信号伝達する；または
（ｉｉ）Dをネットワークから複数の移動端末に無線でブロードキャストする；
ことを含む、請求項１ないし５のうちいずれか一項記載の方法。
【請求項７】
電波リンク品質状態を同定することが、予測品質指標の複数の決定からある統計量を計算することを含む、請求項１ないし６のうちいずれか一項記載の方法。
【請求項８】
電波リンク品質状態を同定することがさらに：
前記統計量をある閾値と比較し；
該比較に基づいて電波リンク品質状態を設定する
ことを含む、請求項７記載の方法。
【請求項９】
第一チャネルが、ある期間にわたって一定の送信電力レベルを有するチャネルである、請求項１ないし８のうちいずれか一項記載の方法。
【請求項１０】
第一チャネルがある第一の時間スロット期間内に送信され、第二チャネルは前記第一時間スロット期間とは異なるある第二の時間スロット期間内に送信される、請求項１ないし９のうちいずれか一項記載の方法。
【請求項１１】
第一チャネルは第一のコードを用いて送信され、第二チャネルは前記第一のコードとは異なる第二のコードを用いて送信される、請求項１ないし１０のうちいずれか一項記載の方法。
【請求項１２】
第一チャネルがビーコン・チャネルを含む、請求項１ないし１１のうちいずれか一項記載の方法。
【請求項１３】
第二チャネルが制御チャネルを含む、請求項１ないし１２のうちいずれか一項記載の方法。
【請求項１４】
第二チャネルがチャネル割り当てメッセージを通信する、請求項１ないし１３のうちいずれか一項記載の方法。
【請求項１５】
前記複数のパラメータのうち少なくとも一つが、
（ｉ）一連の値；または
（ｉｉ）前記一連の値の平均化処理
のうちの少なくとも一方から形成される、請求項１ないし１４のうちいずれか一項記載の方法。
【請求項１６】
無線通信システムにおいて電波リンク品質状態を判別できる移動端末であって：
第一チャネルでの第一信号の受信信号強度を測定するための論理と；
第二チャネルでの受信された第二信号の受信干渉レベルを判別するための論理とを有しており；
当該移動端末は：
第一チャネルでの第一信号の送信信号強度と第二チャネルでの送信された第二信号の最大送信信号強度との間の計算された差の値（D）をネットワークから無線で受信するための論理と；
無線送信された差の値（D）、第一チャネルの受信信号強度および第二チャネルの判別された受信された第二信号の受信干渉レベルを含む複数のパラメータを使って第二チャネルの品質指標を予測するための論理と；
予測された品質指標に基づいて電波リンク品質状態を同定するための論理と、
を特徴とする移動端末。
【請求項１７】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１６記載の移動端末。
【請求項１８】
Dが、第一チャネル上で送信される第一信号の送信電力レベルに対する、第二チャネル上での送信される第二信号の送信電力レベルにおける最小減衰を同定する、請求項１６または１７記載の移動端末。
【請求項１９】
Dが、第一チャネル上で送信される第一信号の送信電力レベルに対する、第二チャネル上で送信される第二信号の送信電力レベルにおける減衰である、請求項２０または２１記載の移動端末。
【請求項２０】
前記差の値（D）を無線で受信するための論理がさらに：
第一チャネル上で送信される第一信号の送信電力レベルを無線で受信するための論理と；
第二チャネル上で送信される第二信号の送信電力レベルを無線で受信するための論理と、
を含む、請求項１６ないし１９のうちいずれか一項記載の移動端末。
【請求項２１】
前記差の値（D）を無線で受信するための論理が：
（ｉ）Dをネットワークから無線で信号伝達するための論理；または
（ｉｉ）ネットワークからブロードキャストされるDを無線で受信するための論理、
を有する、請求項１６ないし２０のうちいずれか一項記載の移動端末。
【請求項２２】
電波リンク品質状態を同定するための前記論理が、予測品質指標の複数の決定からある統計量を計算するための論理を含む、請求項１６ないし２１のうちいずれか一項記載の移動端末。
【請求項２３】
電波リンク品質状態を同定する前記論理がさらに：
前記統計量をある閾値と比較するための論理と；
該比較に基づいて電波リンク品質状態を設定するための論理と、
を含む、請求項２２記載の移動端末。
【請求項２４】
第一チャネルが、ある期間にわたって一定の送信電力レベルを有するチャネルである、請求項１６ないし２３のうちいずれか一項記載の移動端末。
【請求項２５】
第一チャネルがある第一の時間スロット期間内に送信され、第二チャネルは前記第一時間スロット期間とは異なるある第二の時間スロット期間内に送信される、請求項１６ないし２４のうちいずれか一項記載の移動端末。
【請求項２６】
第一チャネルは第一のコードを用いて送信され、第二チャネルは前記第一のコードとは異なる第二のコードを用いて送信される、請求項１６ないし２５のうちいずれか一項記載の移動端末。
【請求項２７】
第一チャネルがビーコン・チャネルを含む、請求項１６ないし２６のうちいずれか一項記載の移動端末。
【請求項２８】
第二チャネルが制御チャネルを含む、請求項１６ないし２７のうちいずれか一項記載の移動端末。
【請求項２９】
第二チャネルがチャネル割り当てメッセージを通信する、請求項１６ないし２８のうちいずれか一項記載の移動端末。
【請求項３０】
前記複数のパラメータのうち少なくとも一つが、
（ｉ）一連の値；または
（ｉｉ）前記一連の値の平均化処理
のうちの少なくとも一方から形成される、請求項１６ないし２９のうちいずれか一項記載の移動端末。
【請求項３１】
メモリと、該メモリに動作可能的に結合されたプロセッサと、該プロセッサ上で実行可能なプログラム・コードとを有する移動端末であって、該プログラム・コードが：
第一チャネルで第一信号を送信し；
第一チャネルでの前記第一信号の受信信号強度を測定し；
第二チャネルでの受信された第二信号の受信干渉レベルを判別するために動作可能であり；
当該移動端末が、
第一チャネルでの第一信号の送信信号強度と第二チャネルでの送信された第二信号の最大送信信号強度との間の計算された差の値（D）をネットワークから無線で受信し；
無線送信された差の値（D）、第一チャネルの受信信号強度および第二チャネルの判別された受信された第二信号の受信干渉レベルを含む複数のパラメータを使って第二チャネルの品質指標を予測し；
予測された品質指標に基づいて電波リンク品質状態を同定する、ために動作可能であるプログラム・コードを特徴とする、移動端末。
【請求項３２】
少なくとも一つの基地局と複数の移動端末との間の通信をサポートするよう構成された無線通信システムであって、少なくとも一つの移動端末は当該無線通信システムにおける電波リンク品質状態を判別でき、そのため該少なくとも一つの移動端末は：
第一チャネルで第一信号の受信信号強度を測定するための論理と；
第二チャネルで第二信号の受信干渉レベルを判別するための論理とを有しており；
前記少なくとも一つの移動端末は：
第一チャネルでの第一信号の送信信号強度と第二チャネルでの送信された第二信号の最大送信信号強度との間の計算された差の値（D）をネットワークから無線で受信するための論理と；
無線送信された差の値（D）、第一チャネルの受信信号強度および第二チャネルの判別された受信された第二信号の受信干渉レベルを含む複数のパラメータを使って第二チャネルの品質指標を予測するための論理と；
予測された品質指標に基づいて電波リンク品質状態を同定するための論理と、
を特徴とする、無線通信システム。
【請求項３３】
無線通信システムにおいて電波リンク品質状態を判別するためのプログラム・コードを有するコンピュータ・プログラム・プロダクトであって：
第一チャネルで第一信号を送信し；
第一チャネルでの第一信号の受信信号強度を測定し；
第二チャネルでの第二信号の受信干渉レベルを判別するためのプログラム・コードを有しており；
当該コンピュータ・プログラム・プロダクトは：
第一チャネルでの第一信号の送信信号強度と第二チャネルでの送信された第二信号の最大送信信号強度との差の値（D）を計算し；
前記差の値（D）をネットワークから少なくとも一つの移動端末に無線送信し；
無線送信された差の値（D）、第一チャネルの受信信号強度および第二チャネルの判別された受信された第二信号の受信干渉レベルを含む複数のパラメータを使って第二チャネルの品質指標を予測し；
予測された品質指標に基づいて電波リンク品質状態を同定する、ためのプログラム・コードを有することを特徴とする、コンピュータ・プログラム・プロダクト。
【請求項３４】
ネットワークと移動端末の間の無線通信システムにおける副次チャネルの電波リンク品質状態を予測する方法であって、該副次チャネルは制御チャネルとして間欠的に使用されるものであり、当該方法は：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較する段階と；
前記複数の計算値のうち前記閾値を過ぎるものの数を判別する段階と；
判別された数が所定の定数を超える場合に電波リンク品質状態を設定する段階とを有する方法。
【請求項３５】
前記複数の計算値のそれぞれが、さらに、前記期間中に副次チャネルに制御メッセージがなかったかどうかを判別し、前記期間中に副次チャネルに制御チャネル・メッセージがなかった場合に前記計算値を与えることによって形成される、請求項３４記載の方法。
【請求項３６】
前記差の値Dが、前記参照チャネル上で送信される信号の送信電力レベルに対する、第二チャネル上で送信される信号の送信電力レベルの減衰を表す、請求項３４または３５記載の方法。
【請求項３７】
ネットワークと当該移動端末の間の無線通信システムにおける副次チャネルの電波リンク品質状態を予測することのできる移動端末であって：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較するための論理と；
前記複数の計算値のうち前記閾値を過ぎるものの数を判別するための論理と；
判別された数が所定の定数を超える場合に電波リンク品質状態を設定するための論理とを有する、移動端末。
【請求項３８】
少なくとも一つの基地局と複数の移動端末との間の通信をサポートするよう構成された無線通信システムであって、少なくとも一つの移動端末は当該無線通信システムにおける副次チャネルの電波リンク品質状態を予測でき、そのため該少なくとも一つの移動端末は：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較するための論理と；
前記複数の計算値のうち前記閾値を過ぎるものの数を判別するための論理と；
判別された数が所定の定数を超える場合に電波リンク品質状態を設定するための論理とを有する、無線通信システム。
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
無線通信システムにおいて電波リンク品質状態を判別する方法であって：
第一チャネルで第一信号を送信し；
第一チャネルでの前記第一信号の受信信号強度を測定し；
第二チャネルでの受信された第二信号の受信干渉レベルを判別する段階を有しており；
当該方法は：
第一チャネルでの第一信号の送信信号強度と第二チャネルでの送信された第二信号の最大送信信号強度との差の値（D）を計算し；
前記差の値（D）をネットワークから少なくとも一つの移動端末に無線送信し；
無線送信された差の値（D）、第一チャネルの受信信号強度および第二チャネルの判別された受信信号の受信干渉レベルを含む複数のパラメータを使って第二チャネルの品質指標を予測し；
予測された品質指標に基づいて電波リンク品質状態を同定することを特徴とする方法。
【請求項２】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１記載の方法。
【請求項３】
Dが、第一チャネル上で送信される第一信号の送信電力レベルに対する、第二チャネル上での送信される第二信号の送信電力レベルにおける最小減衰を同定する、請求項１または２記載の方法。
【請求項４】
Dが、第一チャネル上で送信される第一信号の送信電力レベルに対する、第二チャネル上で送信される第二信号の送信電力レベルにおける減衰である、請求項１または２記載の方法。
【請求項５】
前記複数のパラメータがさらに：
第一チャネル上で送信される第一信号の送信電力レベルと；
第二チャネル上で送信される第二信号の送信電力レベルと、
を含む、請求項１ないし４のうちいずれか一項記載の方法。
【請求項６】
前記差の値（D）を無線送信する段階が：
（ｉ）Dをネットワークから移動端末に無線で信号伝達する；または
（ｉｉ）Dをネットワークから複数の移動端末に無線でブロードキャストする；
ことを含む、請求項１ないし５のうちいずれか一項記載の方法。
【請求項７】
電波リンク品質状態を同定することが、予測品質指標の複数の決定からある統計量を計算することを含む、請求項１ないし６のうちいずれか一項記載の方法。
【請求項８】
電波リンク品質状態を同定することがさらに：
前記統計量をある閾値と比較し；
該比較に基づいて電波リンク品質状態を設定する
ことを含む、請求項７記載の方法。
【請求項９】
第一チャネルが、ある期間にわたって一定の送信電力レベルを有するチャネルである、請求項１ないし８のうちいずれか一項記載の方法。
【請求項１０】
第一チャネルがある第一の時間スロット期間内に送信され、第二チャネルは前記第一時間スロット期間とは異なるある第二の時間スロット期間内に送信される、請求項１ないし９のうちいずれか一項記載の方法。
【請求項１１】
第一チャネルは第一のコードを用いて送信され、第二チャネルは前記第一のコードとは異なる第二のコードを用いて送信される、請求項１ないし１０のうちいずれか一項記載の方法。
【請求項１２】
第一チャネルがビーコン・チャネルを含む、請求項１ないし１１のうちいずれか一項記載の方法。
【請求項１３】
第二チャネルが制御チャネルを含む、請求項１ないし１２のうちいずれか一項記載の方法。
【請求項１４】
第二チャネルがチャネル割り当てメッセージを通信する、請求項１ないし１３のうちいずれか一項記載の方法。
【請求項１５】
前記複数のパラメータのうち少なくとも一つが、
（ｉ）一連の値；または
（ｉｉ）前記一連の値の平均化処理
のうちの少なくとも一方から形成される、請求項１ないし１４のうちいずれか一項記載の方法。
【請求項１６】
無線通信システムにおいて電波リンク品質状態を判別できる移動端末であって：
第一チャネルでの第一信号の受信信号強度を測定するための論理と；
第二チャネルでの受信された第二信号の受信干渉レベルを判別するための論理とを有しており；
当該移動端末は：
第一チャネルでの第一信号の送信信号強度と第二チャネルでの送信された第二信号の最大送信信号強度との間の計算された差の値（D）をネットワークから無線で受信するための論理と；
無線送信された差の値（D）、第一チャネルの受信信号強度および第二チャネルの判別された受信された第二信号の受信干渉レベルを含む複数のパラメータを使って第二チャネルの品質指標を予測するための論理と；
予測された品質指標に基づいて電波リンク品質状態を同定するための論理と、
を特徴とする移動端末。
【請求項１７】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１６記載の移動端末。
【請求項１８】
Dが、第一チャネル上で送信される第一信号の送信電力レベルに対する、第二チャネル上での送信される第二信号の送信電力レベルにおける最小減衰を同定する、請求項１６または１７記載の移動端末。
【請求項１９】
Dが、第一チャネル上で送信される第一信号の送信電力レベルに対する、第二チャネル上で送信される第二信号の送信電力レベルにおける減衰である、請求項２０または２１記載の移動端末。
【請求項２０】
前記差の値（D）を無線で受信するための論理がさらに：
第一チャネル上で送信される第一信号の送信電力レベルを無線で受信するための論理と；
第二チャネル上で送信される第二信号の送信電力レベルを無線で受信するための論理と、
を含む、請求項１６ないし１９のうちいずれか一項記載の移動端末。
【請求項２１】
前記差の値（D）を無線で受信するための論理が：
（ｉ）Dをネットワークから無線で信号伝達するための論理；または
（ｉｉ）ネットワークからブロードキャストされるDを無線で受信するための論理、
を有する、請求項１６ないし２０のうちいずれか一項記載の移動端末。
【請求項２２】
電波リンク品質状態を同定するための前記論理が、予測品質指標の複数の決定からある統計量を計算するための論理を含む、請求項１６ないし２１のうちいずれか一項記載の移動端末。
【請求項２３】
電波リンク品質状態を同定する前記論理がさらに：
前記統計量をある閾値と比較するための論理と；
該比較に基づいて電波リンク品質状態を設定するための論理と、
を含む、請求項２２記載の移動端末。
【請求項２４】
第一チャネルが、ある期間にわたって一定の送信電力レベルを有するチャネルである、請求項１６ないし２３のうちいずれか一項記載の移動端末。
【請求項２５】
第一チャネルがある第一の時間スロット期間内に送信され、第二チャネルは前記第一時間スロット期間とは異なるある第二の時間スロット期間内に送信される、請求項１６ないし２４のうちいずれか一項記載の移動端末。
【請求項２６】
第一チャネルは第一のコードを用いて送信され、第二チャネルは前記第一のコードとは異なる第二のコードを用いて送信される、請求項１６ないし２５のうちいずれか一項記載の移動端末。
【請求項２７】
第一チャネルがビーコン・チャネルを含む、請求項１６ないし２６のうちいずれか一項記載の移動端末。
【請求項２８】
第二チャネルが制御チャネルを含む、請求項１６ないし２７のうちいずれか一項記載の移動端末。
【請求項２９】
第二チャネルがチャネル割り当てメッセージを通信する、請求項１６ないし２８のうちいずれか一項記載の移動端末。
【請求項３０】
前記複数のパラメータのうち少なくとも一つが、
（ｉ）一連の値；または
（ｉｉ）前記一連の値の平均化処理
のうちの少なくとも一方から形成される、請求項１６ないし２９のうちいずれか一項記載の移動端末。
【請求項３１】
メモリと、該メモリに動作可能的に結合されたプロセッサと、該プロセッサ上で実行可能なプログラム・コードとを有する移動端末であって、該プログラム・コードが：
第一チャネルで第一信号を送信し；
第一チャネルでの前記第一信号の受信信号強度を測定し；
第二チャネルでの受信された第二信号の受信干渉レベルを判別するために動作可能であり；
当該移動端末が、
第一チャネルでの第一信号の送信信号強度と第二チャネルでの送信された第二信号の最大送信信号強度との間の計算された差の値（D）をネットワークから無線で受信し；
無線送信された差の値（D）、第一チャネルの受信信号強度および第二チャネルの判別された受信された第二信号の受信干渉レベルを含む複数のパラメータを使って第二チャネルの品質指標を予測し；
予測された品質指標に基づいて電波リンク品質状態を同定する、ために動作可能であるプログラム・コードを特徴とする、移動端末。
【請求項３２】
少なくとも一つの基地局と複数の移動端末との間の通信をサポートするよう構成された無線通信システムであって、少なくとも一つの移動端末は当該無線通信システムにおける電波リンク品質状態を判別でき、そのため該少なくとも一つの移動端末は：
第一チャネルで第一信号の受信信号強度を測定するための論理と；
第二チャネルで第二信号の受信干渉レベルを判別するための論理とを有しており；
前記少なくとも一つの移動端末は：
第一チャネルでの第一信号の送信信号強度と第二チャネルでの送信された第二信号の最大送信信号強度との間の計算された差の値（D）をネットワークから無線で受信するための論理と；
無線送信された差の値（D）、第一チャネルの受信信号強度および第二チャネルの判別された受信された第二信号の受信干渉レベルを含む複数のパラメータを使って第二チャネルの品質指標を予測するための論理と；
予測された品質指標に基づいて電波リンク品質状態を同定するための論理と、
を特徴とする、無線通信システム。
【請求項３３】
無線通信システムにおいて電波リンク品質状態を判別するためのプログラム・コードを有するコンピュータ・プログラム・プロダクトであって：
第一チャネルで第一信号を送信し；
第一チャネルでの第一信号の受信信号強度を測定し；
第二チャネルでの第二信号の受信干渉レベルを判別するためのプログラム・コードを有しており；
当該コンピュータ・プログラム・プロダクトは：
第一チャネルでの第一信号の送信信号強度と第二チャネルでの送信された第二信号の最大送信信号強度との差の値（D）を計算し；
前記差の値（D）をネットワークから少なくとも一つの移動端末に無線送信し；
無線送信された差の値（D）、第一チャネルの受信信号強度および第二チャネルの判別された受信された第二信号の受信干渉レベルを含む複数のパラメータを使って第二チャネルの品質指標を予測し；
予測された品質指標に基づいて電波リンク品質状態を同定する、ためのプログラム・コードを有することを特徴とする、コンピュータ・プログラム・プロダクト。
【請求項３４】
請求項１ないし１５のうちいずれか一項記載の方法に従ってネットワークと移動端末の間の無線通信システムにおける副次チャネルの電波リンク品質状態を判別する方法であって、該副次チャネルは制御チャネルとして間欠的に使用されるものであり、当該方法がさらに：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較する段階と；
前記複数の計算値のうち前記閾値を過ぎるものの数を判別する段階と；
判別された数が所定の定数を超える場合に電波リンク品質状態を設定する段階とを有する方法。
【請求項３５】
前記複数の計算値のそれぞれが、さらに、前記期間中に副次チャネルに制御メッセージがなかったかどうかを判別し、前記期間中に副次チャネルに制御チャネル・メッセージがなかった場合に前記計算値を与えることによって形成される、請求項３４記載の方法。
【請求項３６】
前記差の値Dが、前記参照チャネル上で送信される信号の送信電力レベルに対する、第二チャネル上で送信される信号の送信電力レベルの減衰を表す、請求項３４または３５記載の方法。
【請求項３７】
請求項１６ないし３０のうちいずれか一項記載の、ネットワークと当該移動端末の間の無線通信システムにおける副次チャネルの電波リンク品質状態を判別することのできる移動端末であって、さらに：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較するための論理と；
前記複数の計算値のうち前記閾値を過ぎるものの数を判別するための論理と；
判別された数が所定の定数を超える場合に電波リンク品質状態を設定するための論理とを有する、移動端末。
【請求項３８】
少なくとも一つの基地局と複数の移動端末との間の通信をサポートするよう構成された請求項３２記載の無線通信システムであって、少なくとも一つの移動端末は当該無線通信システムにおける副次チャネルの電波リンク品質状態を判別でき、そのため該少なくとも一つの移動端末は：
参照チャネル上で受信された参照レベル（Sreference）を測定し、ある期間内に副次チャネル上で受信されたレベル（Isecondary）を測定し、ある差の値をDとして、Sreference−Isecondary−Dとして計算値を与える、ことによって逐次形成される複数の計算値と、ある閾値を比較するための論理と；
前記複数の計算値のうち前記閾値を過ぎるものの数を判別するための論理と；
判別された数が所定の定数を超える場合に電波リンク品質状態を設定するための論理とを有する、無線通信システム。
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
無線通信システムにおいて電波リンク品質状態を判別する方法であって：
第一チャネルで第一信号を送信し；
第一チャネルでの前記第一信号の受信信号強度を測定し；
第二チャネルでの受信された第二信号の受信干渉レベルを判別する段階を有しており；
当該方法は：
第一チャネルでの第一信号の送信信号強度と第二チャネルでの送信された第二信号の最大送信信号強度との差の値（D）を計算し；
前記差の値（D）をネットワークから少なくとも一つの移動端末に無線送信し；
無線送信された差の値（D）、第一チャネルの受信信号強度および第二チャネルの判別された受信信号の受信干渉レベルを含む複数のパラメータを使って第二チャネルの品質指標を予測し；
予測された品質指標に基づいて電波リンク品質状態を同定することを特徴とする方法。
【請求項２】
予測される品質指標が：
（ｉ）第二チャネルの信号対雑音比（SNR）
（ｉｉ）第二チャネルの信号対雑音・干渉比（SNIR）
のうちの少なくとも一つを含む、請求項１記載の方法。
【請求項３】
Dが、第一チャネル上で送信される第一信号の送信電力レベルに対する、第二チャネル上での送信される第二信号の送信電力レベルにおける最小減衰を同定する、請求項１または２記載の方法。
【請求項４】
Dが、第一チャネル上で送信される第一信号の送信電力レベルに対する、第二チャネル上で送信される第二信号の送信電力レベルにおける減衰である、請求項１または２記載の方法。
【請求項５】
前記複数のパラメータがさらに：
第一チャネル上で送信される第一信号の送信電力レベルと；
第二チャネル上で送信される第二信号の送信電力レベルと、
を含む、請求項１ないし４のうちいずれか一項記載の方法。
【請求項６】
前記差の値（D）を無線送信する段階が：
（ｉ）Dをネットワークから移動端末に無線で信号伝達する；または
（ｉｉ）Dをネットワークから複数の移動端末に無線でブロードキャストする；
ことを含む、請求項１ないし５のうちいずれか一項記載の方法。
【請求項７】
電波リンク品質状態を同定することが、予測品質指標の複数の決定からある統計量を計算することを含む、請求項１ないし６のうちいずれか一項記載の方法。
【請求項８】
電波リンク品質状態を同定することがさらに：
前記統計量をある閾値と比較し；
該比較に基づいて電波リンク品質状態を設定する
ことを含む、請求項７記載の方法。
【請求項９】
第一チャネルが、ある期間にわたって一定の送信電力レベルを有するチャネルである、請求項１ないし８のうちいずれか一項記載の方法。
【請求項１０】
第一チャネルがある第一の時間スロット期間内に送信され、第二チャネルは前記第一時間スロット期間とは異なるある第二の時間スロット期間内に送信される、請求項１ないし９のうちいずれか一項記載の方法。
【請求項１１】
第一チャネルは第一のコードを用いて送信され、第二チャネルは前記第一のコードとは異なる第二のコードを用いて送信される、請求項１ないし１０のうちいずれか一項記載の方法。
【請求項１２】
第一チャネルがビーコン・チャネルを含む、請求項１ないし１１のうちいずれか一項記載の方法。
【請求項１３】
第二チャネルが制御チャネルを含む、請求項１ないし１２のうちいずれか一項記載の方法。
【請求項１４】
第二チャネルがチャネル割り当てメッセージを通信する、請求項１ないし１３のうちいずれか一項記載の方法。
【請求項１５】
前記複数のパラメータのうち少なくとも一つが、
（ｉ）一連の値；または
（ｉｉ）前記一連の値の平均化処理
のうちの少なくとも一方から形成される、請求項１ないし１４のうちいずれか一項記載の方法。
【請求項１６】
請求項１ないし１５のうちいずれか一項記載の方法であって、電波リンク品質状態はネットワークと移動端末の間の無線通信システムにおける副次チャネルにあり、該副次チャネルは制御チャネルとして間欠的に使用されるものであり、当該方法がさらに：
参照チャネル上で受信された参照レベル（Sreference）を測定し、
ある期間内に副次チャネル上で受信されたレベル（Isecondary）を測定し、
ある差の値をDとして、Sreference−Isecondary−Dとして計算値を与える、
ことによって逐次形成される複数の計算値と、ある閾値を比較する段階と；
前記複数の計算値のうち前記閾値を過ぎるものの数を判別する段階と；
判別された数が所定の定数を超える場合に電波リンク品質状態を設定する段階とを有する方法。
【請求項１７】
前記複数の計算値のそれぞれが、さらに、前記期間中に副次チャネルに制御メッセージがなかったかどうかを判別し、前記期間中に副次チャネルに制御チャネル・メッセージがなかった場合に前記計算値を与えることによって形成される、請求項１６記載の方法。
【請求項１８】
前記差の値Dが、前記参照チャネル上で送信される信号の送信電力レベルに対する、第二チャネル上で送信される信号の送信電力レベルの減衰を表す、請求項１６または１７記載の方法。
【請求項１９】
無線通信システムにおいて電波リンク品質状態を判別できる移動端末であって：
第一チャネルでの第一信号の受信信号強度を測定するための論理と；
第二チャネルでの受信された第二信号の受信干渉レベルを判別するための論理とを有しており；
当該移動端末は：
第一チャネルでの第一信号の送信信号強度と第二チャネルでの送信された第二信号の最大送信信号強度との間の計算された差の値（D）をネットワークから無線で受信するための論理と；
無線送信された差の値（D）、第一チャネルの受信信号強度および第二チャネルの判別された受信された第二信号の受信干渉レベルを含む複数のパラメータを使って第二チャネルの品質指標を予測するための論理と；
予測された品質指標に基づいて電波リンク品質状態を同定するための論理と、
を特徴とする移動端末。
【請求項２０】
メモリと、該メモリに動作可能的に結合されたプロセッサと、該プロセッサ上で実行可能なプログラム・コードとを有する移動端末であって、該プログラム・コードが：
第一チャネルで第一信号を送信し；
第一チャネルでの前記第一信号の受信信号強度を測定し；
第二チャネルでの受信された第二信号の受信干渉レベルを判別するために動作可能であり；
当該移動端末が、
第一チャネルでの第一信号の送信信号強度と第二チャネルでの送信された第二信号の最大送信信号強度との間の計算された差の値（D）をネットワークから無線で受信し；
無線送信された差の値（D）、第一チャネルの受信信号強度および第二チャネルの判別された受信された第二信号の受信干渉レベルを含む複数のパラメータを使って第二チャネルの品質指標を予測し；
予測された品質指標に基づいて電波リンク品質状態を同定する、ために動作可能であるプログラム・コードを特徴とする、移動端末。
【請求項２１】
少なくとも一つの基地局と複数の移動端末との間の通信をサポートするよう構成された無線通信システムであって、少なくとも一つの移動端末は当該無線通信システムにおける電波リンク品質状態を判別でき、そのため該少なくとも一つの移動端末は：
第一チャネルで第一信号の受信信号強度を測定するための論理と；
第二チャネルで第二信号の受信干渉レベルを判別するための論理とを有しており；
前記少なくとも一つの移動端末は：
第一チャネルでの第一信号の送信信号強度と第二チャネルでの送信された第二信号の最大送信信号強度との間の計算された差の値（D）をネットワークから無線で受信するための論理と；
無線送信された差の値（D）、第一チャネルの受信信号強度および第二チャネルの判別された受信された第二信号の受信干渉レベルを含む複数のパラメータを使って第二チャネルの品質指標を予測するための論理と；
予測された品質指標に基づいて電波リンク品質状態を同定するための論理と、
を特徴とする、無線通信システム。
【請求項２２】
無線通信システムにおいて電波リンク品質状態を判別するためのプログラム・コードを有するコンピュータ・プログラム・プロダクトであって：
第一チャネルで第一信号を送信し；
第一チャネルでの第一信号の受信信号強度を測定し；
第二チャネルでの第二信号の受信干渉レベルを判別するためのプログラム・コードを有しており；
当該コンピュータ・プログラム・プロダクトは：
第一チャネルでの第一信号の送信信号強度と第二チャネルでの送信された第二信号の最大送信信号強度との差の値（D）を計算し；
前記差の値（D）をネットワークから少なくとも一つの移動端末に無線送信し；
無線送信された差の値（D）、第一チャネルの受信信号強度および第二チャネルの判別された受信された第二信号の受信干渉レベルを含む複数のパラメータを使って第二チャネルの品質指標を予測し；
予測された品質指標に基づいて電波リンク品質状態を同定する、ためのプログラム・コードを有することを特徴とする、コンピュータ・プログラム・プロダクト。
【国際調査報告】
2008537852.tif 000013
2008537852.tif 000014